(57)【特許請求の範囲】
【請求項１】
正極端子と負極端子を有し，外部から供給される電力によって充電が可能な蓄電池と，
外部電源と接続されて前記蓄電池を充電し，または外部負荷と接続されて前記蓄電池の電力を外部負荷に供給して放電するための，パック正極端子及びパック負極端子と，
前記蓄電池の正極端子と前記パック正極端子の間，または前記蓄電池の負極端子と前記パック負極端子の間を接続する大電流経路上に位置する部品が実装される第１基板と，
前記第１基板から所定距離以上離間して設けられ，低電流経路上に位置して前記蓄電池の充放電を制御する周辺回路が実装される第２基板とを備え，
前記第１基板上の部品は前記第２基板上の部品と電気的に接続されることを特徴とする蓄電池パック。
【請求項２】
前記第１基板は，前記パック正極端子及び前記パック負極端子を有する外部端子を備えることを特徴とする請求項１に記載の蓄電池パック。
【請求項３】
前記第１基板と第２基板の間には，両基板間を電気的に接続する少なくとも一つ以上の層間コネクタを備えることを特徴とする請求項１又は２に記載の蓄電池パック。
【請求項４】
前記第１基板には，
前記パック正極端子と前記蓄電池の正極端子との間に位置する充放電トランジスタ素子，コイル，及びヒューズと，
前記パック負極端子と前記蓄電池の負極端子との間に位置するセンサー抵抗とが実装されることを特徴とする請求項１〜３のいずれかに記載の蓄電池パック。
【請求項５】
前記第２基板には，
前記蓄電池の所定セルの電圧から蓄電池の過充電の有無を判断する過充電保護回路と，
前記蓄電池の充電状態を測定する測定部と，
前記測定部により測定された蓄電池の充電状態を外部に知らせる通信ラインと，
前記蓄電池の所定セルの電圧と前記センサー抵抗の出力に応じて前記充放電トランジスタ素子のオン／オフを制御する充放電制御及び保護回路とが実装されることを特徴とする請求項１，３又は４に記載の蓄電池パック。
【請求項６】
蓄電池と，前記蓄電池と電気的に接続される充放電回路とを備え，
前記充放電回路には，
大電流経路上に位置する部品を実装する第１基板と，
低電流経路上に位置する部品を実装する第２基板と，
前記第１基板と前記第２基板の間に設けられ，前記第１基板上に実装された部品と前記第２基板上に実装された部品とを電気的に接続する層間コネクタとを設け，
前記第２基板は，前記第１基板に対して，少なくとも前記第１基板に実装された部品から発生する熱が前記低電流経路上の部品に与える影響を減少させ得るのに十分な距離以上離間していることを特徴とする蓄電池パック。
【請求項７】
前記低電流経路上の部品は，前記蓄電池の充放電を制御する周辺回路を含むことを特徴とする請求項６に記載の蓄電池パック。
【請求項８】
前記充放電回路は，前記蓄電池パックを外部電源と接続して前記蓄電池に電力を供給して充電し，または前記蓄電池パックを外部負荷と接続して前記蓄電池の電力を外部負荷に供給して放電するための，パック正極端子及びパック負極端子を含むことを特徴とする請求項６に記載の蓄電池パック。
【請求項９】
前記蓄電池は，ニッケル−カドミウム蓄電池，鉛蓄電池，ニッケル−水素蓄電池，リチウム−イオン蓄電池，リチウム−ポリマー蓄電池，リチウム−金属蓄電池，及び空気−亜鉛蓄電池からなる群より選択されたいずれか一つであることを特徴とする請求項６に記載の蓄電池パック。
【請求項１０】
大電流経路上に位置する部品を実装する第１基板と，
低電流経路上に位置する部品を実装する第２基板と，
前記第１基板と前記第２基板の間に設けられ，前記第１基板上に実装された部品と前記第２基板上に実装された部品とを電気的に接続する層間コネクタとを備え，
前記第２基板は，前記第１基板に対して，少なくとも前記第１基板上に実装された部品から発生する熱が前記低電流経路上の部品に与える影響を無視できる程度に十分な距離以上離間していることを特徴とする蓄電池の充放電回路。
【請求項１１】
前記第１基板は，外部電源と接続されて前記蓄電池に電力を供給して充電し，または外部負荷と接続されて前記蓄電池の電力を外部負荷に供給して放電するための，パック正極端子及びパック負極端子をさらに含むことを特徴とする請求項１０に記載の蓄電池の充放電回路。
【請求項１２】
前記第１基板は，前記蓄電池の正極端子と前記パック正極端子との間の大電流経路上に位置する部品をさらに含むことを特徴とする請求項１０又は１１に記載の蓄電池の充放電回路。
【請求項１３】
前記第１基板は，前記蓄電池の負極端子と前記パック負極端子との間の大電流経路上に位置する部品をさらに含むことを特徴とする請求項１０〜１２のいずれかに記載の蓄電池の充放電回路。
【請求項１４】
前記第１基板は，
パック正極端子及びパック負極端子と，
前記蓄電池の正極端子と前記パック正極端子との間の大電流経路上に位置する部品とをさらに含むことを特徴とする請求項１０に記載の蓄電池の充放電回路。
【請求項１５】
前記第１基板は，
パック正極端子及びパック負極端子と，
前記蓄電池の負極端子と前記パック負極端子との間の大電流経路上に位置する部品とをさらに含むことを特徴とする請求項１０に記載の蓄電池の充放電回路。
【発明の詳細な説明】
【０００１】
【発明の属する技術分野】
本発明は，蓄電池パック及び蓄電池の充放電回路にかかり，さらに詳しくは大電流経路上に位置する部品を他の部品から十分な距離を離隔して配置することによって，大電流経路上の部品から発生する熱が他の部品に与える影響を減少させることができる蓄電池パック及び蓄電池の充放電回路に関する。
【０００２】
【従来の技術】
充電及び放電が可能な２次電池には様々な種類のものが開発されており，例えば，ニッケル−カドミウム電池，鉛蓄電池，ニッケル−水素電池（ＮｉＭＨ：ｎｉｃｋｅｌ  ｍｅｔａｌ  ｈｙｄｒｉｄｅ  ｂａｔｔｅｒｙ），リチウム−イオン電池，リチウムポリマー電池，金属リチウム電池，空気亜鉛蓄電池などがある。このような２次電池は，携帯電話，ノートブックコンピュータ，カムコーダ，ＰＤＡ（Ｐｅｒｓｏｎａｌ  Ｄｉｇｉｔａｌ  Ａｓｓｉｓｔａｎｔｓ）などの携帯用電子機器に用いられ，それら携帯用電子機器の開発と共に活発な研究が進められている。
【０００３】
２次電池は，その充放電回路と組合わされて蓄電池パックを構成する。蓄電池パックは外部端子であるパック正極端子（＋）とパック負極端子（−）を通じて充電及び放電を行う。
【０００４】
【発明が解決しようとする課題】
しかし，このような蓄電池パックは，充電経路及び放電経路に大電流が流れるため，このような大電流によって前記充電経路及び放電経路上の部品から発生する熱が，他の部品に伝達して悪影響を及ぼすという問題点があった。例えば，前記充電経路及び放電経路上の部品からの発熱によって，充放電回路周辺の集積回路チップに誤作動が生じたり，蓄電池パックの安定性が低下してエネルギー効率が減少するといった問題が発生していた。
【０００５】
そこで，本発明は，このような問題に鑑みてなされたもので，その目的とするところは，蓄電池パックの充放電回路に設けられる部品のうち大電流経路上に位置する部品を他の部品から離隔させることによって，大電流経路上の部品から発生する熱が充放電回路に設けられる他の部品に伝達しないようにした蓄電池パック及び蓄電池の充放電回路を提供することにある。
【０００６】
【課題を解決するための手段】
上記課題を解決するために，本発明のある観点によれば，正極端子（＋）と負極端子（−）を有し，外部から供給される電力によって充電が可能な蓄電池と，外部電源と接続されて前記蓄電池を充電し，または外部負荷と接続されて前記蓄電池の電力を外部負荷に供給して放電するための，パック正極端子（＋）及びパック負極端子（−）と，前記蓄電池の正極端子（＋）と前記パック正極端子（＋）の間，または前記蓄電池の負極端子（−）と前記パック負極端子（−）の間を接続する大電流経路上に位置する部品が実装される第１基板と，前記第１基板から所定距離以上離間して設けられ，前記蓄電池の充放電を制御する周辺回路が実装される第２基板とを備え，前記第１基板上の部品は前記第２基板上の部品と電気的に接続されることを特徴とする蓄電池パックが提供される。
【０００７】
このような本発明にかかる蓄電池パックによれば，蓄電池パックに設けられる部品のうち，大電流が流れる経路上に位置する部品を第１基板に実装し，大電流が流れない経路上に位置する充放電制御のための周辺回路部品を第２基板に実装して，前記第１基板と第２基板とを所定距離以上離間して設けることにより，大電流によって発熱する第１基板に実装された部品の熱が第２基板に実装された部品に伝達されて悪影響を及ぼすのを防止することができる。
【０００８】
このとき，前記第１基板は，前記パック正極端子（＋）及び前記パック負極端子（−）を有する外部端子を備える。また，前記第１基板には，前記パック正極端子（＋）と前記蓄電池の正極端子（＋）との間に位置する充放電トランジスタ素子，コイル，及びヒューズと，前記パック負極端子（−）と前記蓄電池の負極端子（−）との間に位置するセンサー抵抗とが実装される。
【０００９】
また，前記第２基板には，前記蓄電池の所定セルの電圧から蓄電池の過充電の有無を判断する過充電保護回路と，前記蓄電池の充電状態を測定する測定部と，前記測定部により測定された蓄電池の充電状態を外部に知らせる通信ラインと，前記蓄電池の所定セルの電圧と前記センサー抵抗の出力に応じて前記充放電トランジスタ素子のオン／オフを制御する充放電制御及び保護回路とが実装される。
【００１０】
そして，前記第１基板と第２基板の間には，両基板間を電気的に接続する少なくとも一つ以上の層間コネクタが設けられる。
【００１１】
上記課題を解決するために，本発明の別の観点によれば，蓄電池と，前記蓄電池と電気的に接続される充放電回路とを備え，前記充放電回路には，大電流経路上に位置する部品を実装する第１基板と，低電流経路上に位置する部品を実装する第２基板と，前記第１基板と前記第２基板の間に設けられ，前記第１基板上に実装された部品と前記第２基板上に実装された部品とを電気的に接続する層間コネクタとを設け，前記第２基板は，前記第１基板に対して，少なくとも前記第１基板に実装された部品から発生する熱が前記低電流経路上の部品に与える影響を減少させ得るのに十分な距離以上離間していることを特徴とする蓄電池パックが提供される。
【００１２】
このような本発明にかかる蓄電池パックによれば，蓄電池パックの充放電回路の部品のうち，大電流経路上に位置する部品を第１基板に実装し，低電流経路上に位置する部品を第２基板に実装して，前記第１基板と第２基板とを所定距離以上離間して設けることにより，大電流によって発熱する第１基板に実装された部品の熱が第２基板に実装された部品に伝達されて悪影響を及ぼすのを防止することができる。
【００１３】
このとき，前記蓄電池は，ニッケル−カドミウム蓄電池，鉛蓄電池，ニッケル−水素蓄電池，リチウム−イオン蓄電池，リチウム−ポリマー蓄電池，リチウム−金属蓄電池，及び空気−亜鉛蓄電池からなる群より選択されたいずれか一つであることが望ましい。
【００１４】
また，前記充放電回路は，前記蓄電池パックを外部電源と接続して前記蓄電池に電力を供給して充電し，または前記蓄電池パックを外部負荷と接続して前記蓄電池の電力を外部負荷に供給して放電するための，パック正極端子（＋）及びパック負極端子（−）を含む。そして，前記低電流経路上の部品は，前記蓄電池の充放電を制御する周辺回路を含む。
【００１５】
上記課題を解決するために，本発明のある観点によれば，大電流経路上に位置する部品を実装する第１基板と，低電流経路上に位置する部品を実装する第２基板と，前記第１基板と前記第２基板の間に設けられ，前記第１基板上に実装された部品と前記第２基板上に実装された部品とを電気的に接続する層間コネクタとを備え，前記第２基板は，前記第１基板に対して，少なくとも前記第１基板上に実装された部品から発生する熱が前記低電流経路上の部品に与える影響を無視できる程度に十分な距離以上離間していることを特徴とする蓄電池の充放電回路が提供される。
【００１６】
このような本発明にかかる蓄電池の充放電回路によれば，大電流経路上に位置する部品を第１基板に実装し，低電流経路上に位置する部品を第２基板に実装して，前記第１基板と第２基板とを所定距離以上離間して設けることにより，大電流によって発熱する第１基板に実装された部品の熱が第２基板に実装された部品に伝達されて悪影響を及ぼすのを防止することができる。
【００１７】
このとき，前記第１基板は，外部電源と接続されて前記蓄電池に電力を供給して充電し，または外部負荷と接続されて前記蓄電池の電力を外部負荷に供給して放電するための，パック正極端子（＋）及びパック負極端子（−）をさらに含む。また，前記第１基板は，前記蓄電池の正極端子（＋）と前記パック正極端子（＋）との間の大電流経路上に位置する部品をさらに含む。そして，前記第１基板は，前記蓄電池の負極端子（−）と前記パック負極端子（−）との間の大電流経路上に位置する部品をさらに含む。
【００１８】
【発明の実施の形態】
以下に添付図面を参照しながら，本発明にかかる蓄電池パックの好適な実施の形態について詳細に説明する。なお，本明細書及び図面において，実質的に同一の機能構成を有する構成要素については，同一の符号を付することにより重複説明を省略する。
【００１９】
本発明の実施の形態にかかる蓄電池パック及び蓄電池の充放電回路は，第１基板１と，第１基板１から所定の距離を離間して配置される第２基板２とを含んで構成され，大電流が流れる経路上に位置する部品とそれ以外の部品とを，第１基板１と第２基板２とに分けて実装している。図１は，本実施形態にかかる蓄電池パックの基板の断面図である。
【００２０】
第１基板１には，蓄電池パックの部品のうち大電流が流れる充電経路及び放電経路上に位置する部品が実装される。大電流経路上の部品には，例えば，コイル，ヒューズ，キャパシター，及びスイッチングのためのトランジスタ素子などがある。図１の蓄電池パックでは，外部コネクタ３とコイル４が第１基板１に設けられる。外部コネクタ３は，パック正極端子（Ｐ＋）とパック負極端子（Ｐ−）とを有し，充電時には蓄電池パックを電源と接続させ，放電時には蓄電池パックを携帯用電子機器と接続させるのに用いられる。
【００２１】
尚，説明の便宜のために，図１には大電流が流れる部品の全てを示していないが，好ましい実施の形態においては，大電流が流れることにより発熱する全ての部品が第１基板１上に実装される。
【００２２】
第２基板２には，充放電回路の部品のうち，大電流が流れない低電流経路上に位置する部品が実装される。低電流経路上の部品には，例えば，集積回路チップ６，７，８などがある。
【００２３】
このように，充放電回路の部品のうち大電流が流れる部品を第１基板１上に実装し，低電流が流れる部品を第２基板２上に実装することにより，大電流が流れる部品を充放電回路の他の部品から効果的に離隔することができる。第１基板１と第２基板２は互いに所定の距離を離間して配置され，これにより第１基板１上の部品から発生する熱が第２基板２上の部品に悪影響を及ぼすのを防止することができる。第１基板１と第２基板２の間の距離は正確に定義していないが，第２基板２は，第１基板１上の部品から発生する熱が第２基板２上に実装された部品に与える影響が十分に減少され得る程度の距離を第１基板１から離間して設けられることが望ましい。
【００２４】
第１基板１上の部品と第２基板２上の部品とは，少なくとも一つ以上の層間コネクタを通じて互いに電気的に接続される。図１においては，第１層間コネクタ５及び第２層間コネクタ９が第１基板１と第２基板２との間に配置されて，第１基板１上の部品と第２基板２上の部品を電気的に接続している。
【００２５】
図２は，本実施形態にかかる蓄電池パックにおける大電流の流れを示す図である。センサー抵抗３１は第１基板１上に実装される部品である。
【００２６】
大電流には，図２のＩで示す蓄電池の正極端子（Ｂ＋）と蓄電池パックのパック正極端子（Ｐ＋）の間における大電流Ｉと，図２のＩＩで示す蓄電池の負極端子（Ｂ−）と蓄電池パックのパック負極端子（Ｐ−）の間における大電流ＩＩとがある。図２の第１基板１の左側は蓄電池の正極端子（Ｂ＋）と接続され，第１基板１の右側は蓄電池の負極端子（Ｂ−）と接続されている。また，外部コネクタ３の左側には蓄電池パックのパック正極端子（Ｐ＋）が形成されており，外部コネクタ３の右側には蓄電池パックのパック負極端子（Ｐ−）が形成されている。したがって，大電流Ｉと大電流ＩＩの経路は互いに分離されているので，二つの電流の流れ間の干渉を減らすことができる。
【００２７】
次に，本実施形態にかかる蓄電池パックの構成の一例について説明する。図３は，蓄電池パックの構成の一例を示す図である。蓄電池パックは，蓄電池Ｂとその周辺回路などにより構成される。
【００２８】
蓄電池Ｂには，例えば，ニッケル−カドミウム蓄電池，鉛蓄電池，ニッケル−水素蓄電池，リチウム−イオン蓄電池，リチウム−ポリマー蓄電池，リチウム−金属蓄電池，空気−亜鉛蓄電池などがある。
【００２９】
図３に示される蓄電池Ｂは，４つの直列蓄電池からなる単位セルが２つ並列に接続された構成を有する。すなわち，４直列２並列（４Ｓ２Ｐ：４Ｓｅｒｉｅｓ２Ｐａｒａｌｌｅｌ）型の構成を有する。
【００３０】
パック正極端子（Ｐ＋）と蓄電池の正極端子（Ｂ＋）との間には，充電ＦＥＴ（ＦＥＴ２），コイル（Ｌ），放電ＦＥＴ（ＦＥＴ３），及びヒューズ（Ｆ）が順次接続される。また，充電ＦＥＴ（ＦＥＴ２）及びコイル（Ｌ）と並列に補助放電ＦＥＴ（ＦＥＴ１）が設けられる。そして，第１キャパシター（Ｃ１）がパック正極端子（Ｐ＋）と充電ＦＥＴ（ＦＥＴ２）の間のノードと接地ノードとの間に設けられ，ダイオード（Ｄ）が充電ＦＥＴ（ＦＥＴ２）とコイル（Ｌ）の間のノードと接地ノードとの間に設けられ，第２キャパシター（Ｃ２）がコイル（Ｌ）と放電ＦＥＴ（ＦＥＴ３）の間のノードと接地ノードとの間に設けられ，第３キャパシター（Ｃ３）が放電ＦＥＴ（ＦＥＴ３）とヒューズ（Ｆ）の間のノードと接地ノードとの間に設けられる。
【００３１】
一方，蓄電池の負極端子（Ｂ−）とパック負極端子（Ｐ−）との間には，センサー抵抗（Ｒｓ）が設けられる。蓄電池パックは過充電保護回路１０を含むことができる。過充電保護回路１０は蓄電池Ｂの所定セルの電圧を検出して過充電の有無を判断する。また，蓄電池パックは，測定部の一例としてのゲージング部３０，及び通信ライン４０をさらに含むことができる。ゲージング部３０は，過充電保護回路１０とセンサー抵抗（Ｒｓ）の出力から蓄電池の充電状態を測定する。通信ライン４０は，ゲージング部３０により測定された蓄電池の充電状態を外部に知らせる。そして，蓄電池パックは充放電制御及び保護回路２０をさらに含むことができる。充放電制御及び保護回路２０は，蓄電池Ｂの所定セルの電圧とセンサー抵抗（Ｒｓ）の出力に基づいて各ＦＥＴ（ＦＥＴ１，ＦＥＴ２，ＦＥＴ３）のオン／オフを切り替えてスイッチングすることにより蓄電池Ｂの充放電を制御する。尚，ヒューズ（Ｆ）は電磁ブレーカーであっても差し支えない。
【００３２】
上述したように，パック正極端子（Ｐ＋）と蓄電池の正極端子（Ｂ＋）の間の経路上に位置する部品，及び，パック負極端子（Ｐ−）と蓄電池の負極端子（Ｂ−）の間の経路上に位置するセンサー抵抗（Ｒｓ）には，大電流が流れる。したがって，これらの経路上に位置する部品は，図１に示すように，第１基板１に実装される。そして，図３の蓄電池の一例に示される過充電保護回路１０，充放電制御及び保護回路２０，ゲージング部３０及び通信ライン４０は，図１の第２基板２に実装されるのが好ましい。このように蓄電池パックの部品を配置することによって，大電流が流れる部品と微細電流で動作する部品が互いに離隔されるので，大電流によって発熱した部品の熱が，過充電保護回路１０，充放電制御及び保護回路２０，ゲージング部３０などに伝達して回路の動作に影響を与えるのを防止することができる。このとき，大電流が流れる部品の温度を検知する素子は第1基板に搭載されるのが好ましい。
【００３３】
次に，本実施形態にかかる蓄電池パック及び蓄電池の充放電回路の動作について，図４を参照しながら簡略に説明する。図４は，図３に示した蓄電池パックの構成の一例を回路図で表わしたものである。
【００３４】
充放電制御及び保護回路２０は，センサー抵抗（Ｒｓ）の出力と蓄電池Bの所定セルの電圧に基づいて，充放電トランジスタ素子である各ＦＥＴ（ＦｉｅｌｄＥｆｆｅｃｔ  Ｔｒａｎｓｉｓｔｏｒ：電界効率トランジスタ）（ＦＥＴ１，ＦＥＴ２，ＦＥＴ３）をオンまたはオフにするための信号（G１，G２，G３）を生成する。生成された信号（G１，G２，G３）は該当するＦＥＴのゲートに印加されて蓄電池Ｂの充放電を制御する。
【００３５】
例えば，蓄電池Ｂを充電する際には，パック正極端子（Ｐ＋）から蓄電池の正極端子（Ｂ＋）に電流が流れなければならないので，二つのＦＥＴ（ＦＥＴ２，ＦＥＴ３）が共にオンにならなければならない。充電時の電流経路は，パック正極端子（Ｐ＋）から開始し，ＦＥＴ２，コイル（Ｌ），ＦＥＴ３，及びヒューズ（Ｆ）を経て蓄電池の正極端子（Ｂ＋）で終了する。
【００３６】
また，蓄電池Ｂを放電する際には，蓄電池の正極端子（Ｂ＋）からパック正極端子（Ｐ＋）に電流が流れなければならないので，３つのＦＥＴ（ＦＥＴ１，ＦＥＴ２，ＦＥＴ３）が全てオンにならなければならない。放電時の電流経路は二つ存在する。その一つは，蓄電池の正極端子（Ｂ＋）から開始し，ヒューズ（Ｆ），ＦＥＴ３，コイル（Ｌ），及びＦＥＴ２を経て蓄電池パックの正極端子（Ｂ＋）で終了する。もう一つの経路は，蓄電池の正極端子（Ｂ＋）から開始し，ヒューズ（Ｆ），ＦＥＴ３，及びＦＥＴ１を経て蓄電池パックの正極端子（Ｂ＋）で終了する。
【００３７】
過充電保護回路１０は，蓄電池Ｂの所定のセルの電圧を検出し，検出された電圧より蓄電池Ｂが過充電であると判断すると，ヒューズ（Ｆ）をオフにする。
【００３８】
ゲージング部３０は，過充電保護回路１０の出力とセンサー抵抗（Ｒｓ）の出力をもとに蓄電池の充電状態を検出する。ゲージング部３０により検出された充電状態は，通信ライン４０を通じて外部に伝送される。
【００３９】
図５は，図３に示した蓄電池パックの第１基板の平面図である。前述したように，蓄電池パックの第１基板１には大電流が流れる充電経路及び放電経路上に位置する部品が実装される。
【００４０】
即ち，蓄電池パックの第１基板１上には，パック正極端子（Ｐ＋）と蓄電池の正極端子（Ｂ＋）の間の経路に位置する素子と，パック負極端子（Ｐ−）と蓄電池の負極端子（Ｂ−）の間の経路に位置する素子とが実装される。図５の蓄電池パックにおいては，パック正極端子（Ｐ＋）及びパック負極端子（Ｐ−）を含む外部端子５１と，補助放電ＦＥＴ５２と，充電ＦＥＴ５３と，コイル５４と，放電ＦＥＴ５５と，ヒューズ５６と，キャパシター５７，５８と，センサー抵抗５９とが第１基板１上に実装される。
【００４１】
図５の矢印（Ｉ’，Ｉ”，ＩＩ）は，電流経路を示す。矢印Ｉ’は，パック正極端子（Ｐ＋）から蓄電池の正極端子（Ｂ＋）までの電流の流れ，即ち充電時の電流の流れを示す。矢印Ｉ”は，蓄電池の正極端子（Ｂ＋）からパック正極端子（Ｐ＋）までの電流の流れ，即ち放電時の電流の流れを示す。矢印ＩＩは，パック負極端子（Ｐ−）と蓄電池の負極端子（Ｂ−）の間の電流経路を示す。
【００４２】
以上，添付図面を参照しながら本発明に係る好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【００４３】
【発明の効果】
以上詳述したように本発明によれば，蓄電池パックの構成要素のうち，大電流経路上に位置する部品とその他の部品とを２つの基板に分けて配置して互いに離間されるように構成することにより，大電流経路上の部品の発熱によって蓄電池パック内の集積回路に損傷が生じたり性能の低下が生じるのを防止することができる蓄電池パック及び蓄電池の充放電回路を提供できるものである。
【図面の簡単な説明】
【図１】本発明の実施の形態にかかる蓄電池パックの基板の断面図である。
【図２】同実施の形態における蓄電池パックの電流の流れを示した図である。
【図３】同実施の形態における蓄電池パックの概略構成を示す図である。
【図４】図３の蓄電池パックの回路図である。
【図５】同実施の形態における蓄電池パックの第１基板の平面図である。
【符号の説明】
１  第１基板
２  第２基板
３  外部コネクタ
４  コイル
５  第１層間コネクタ
６，７，８  集積回路チップ
９  第２層間コネクタ
１０  過充電保護回路
２０  保護回路
３０  ゲージング部
４０  通信ライン
５１  外部端子
５２  補助放電ＦＥＴ
５３  充電ＦＥＴ
５４  コイル
５５  放電ＦＥＴ
５６  ヒューズ
５７，５８  キャパシター
５９  センサー抵抗
Ｇ１，Ｇ２，Ｇ３  信号
Ｌ  コイル
Ｆ  ヒューズ
Ｒｓ  センサー抵抗
ＦＥＴ１  補助放電ＦＥＴ
ＦＥＴ２  充電ＦＥＴ
ＦＥＴ３  放電ＦＥＴ
Ｐ＋  パック正極端子
Ｐ−  パック負極端子
Ｂ＋  蓄電池の正極端子
Ｂ−  蓄電池の負極端子
【図１】
0004167924.tif 000002
【図２】
0004167924.tif 000003
【図３】
0004167924.tif 000004
【図４】
0004167924.tif 000005
【図５】
0004167924.tif 000006